(57)【要約】【課題】ろ過初期におけるウイルスの除去率の低下を防止できる膜ろ過方法を提供する。【解決手段】ウイルスを含む被処理水に凝集剤を添加してろ過膜でろ過する膜ろ過工程と、前記膜ろ過工程後、前記ろ過膜を洗浄する洗浄工程と、を有し、前記膜ろ過工程と前記洗浄工程とを繰り返す膜ろ過方法であって、前記膜ろ過工程では、そのろ過初期において、（１）通常時に添加する前記凝集剤に比して多くの前記凝集剤を添加した前記被処理水をろ過するか、或いは、（２）通常時における被処理水のｐＨに比して、ｐＨが低い被処理水をろ過することの少なくとも一方の操作を行う膜ろ過方法。【選択図】なし【特許請求の範囲】
【請求項１】
ウイルスを含む被処理水に凝集剤を添加してろ過膜でろ過する膜ろ過工程と、
前記膜ろ過工程後、前記ろ過膜を洗浄する洗浄工程と、を有し、前記膜ろ過工程と前記洗浄工程とを繰り返す膜ろ過方法であって、
前記膜ろ過工程では、そのろ過初期において、以下の（１）及び（２）の少なくとも一方の操作を行う膜ろ過方法。
（１）通常時に添加する前記凝集剤に比して多くの前記凝集剤を添加した前記被処理水をろ過する。
（２）通常時における前記被処理水のｐＨに比して、ｐＨが低い前記被処理水をろ過する。
【請求項２】
前記膜ろ過工程におけるろ過初期が、少なくとも、前記ろ過膜に水を満たすための工程である水張り工程を含む期間である請求項１に記載の膜ろ過方法。
【請求項３】
前記膜ろ過工程におけるろ過初期が、前記水張り工程後、更に５分間以内の期間である請求項２に記載の膜ろ過方法。
【請求項４】
前記ろ過膜が、セラミックス製の膜である請求項１〜３のいずれか一項に記載の膜ろ過方法。
【請求項５】
前記膜ろ過工程の前記ろ過初期は、前記洗浄工程後のろ過初期である請求項１〜４のいずれか一項に記載の膜ろ過方法。
【請求項６】
前記洗浄工程が、逆洗により前記ろ過膜を洗浄する工程である請求項５に記載の膜ろ過方法。
【発明の詳細な説明】
【技術分野】
【０００１】
本発明は、膜ろ過方法に関する。更に詳しくは、ろ過初期におけるウイルスの除去率の低下を防止可能な膜ろ過方法に関する。
【背景技術】
【０００２】
近年、水不足の地域を中心に下水の再利用が進められている。この下水の再利用においては、再利用される水の衛生学的な安全性を担保する観点からウイルスの除去が要求されており、これが水質項目の一つとなっている。
【０００３】
このように、例えば下水処理の場合、下水（被処理水）に含まれるウイルスを低減することが重要である。そして、下水などの被処理水中のウイルスを低減させる方法としては、例えば、ウイルスを凝集させた後、ろ過すること（膜ろ過）により、被処理水からウイルスを除去する、ウイルス除去方法などが報告されている（特許文献１参照）。
【先行技術文献】
【特許文献】
【０００４】
【特許文献１】特開２０１１−２５１４３号公報
【発明の概要】
【発明が解決しようとする課題】
【０００５】
本発明者らは、実験の結果、膜ろ過においては、ろ過初期にウイルスの除去率が低くなっており、膜ろ過を継続していくにつれて除去率が安定する（高くなる）という知見を得た。ウイルスの除去率の低下は、新品のろ過膜を最初に使用するとき、更に、逆洗や薬品洗浄後に行うろ過のすべての場合で生じていることが分かった。
【０００６】
そのため、再利用される水の安全性を担保するために、ウイルスの除去率が低いろ過初期のろ過水は捨てる必要があり、処理水量及び回収率の向上のためにはろ過初期のウイルスの除去率を向上させる（低下させない）必要がある。特に、膜ろ過では定期的に膜の洗浄が行われるため、洗浄の度にウイルスの除去率が低くなってしまう事態が生じることから、膜の洗浄直後（ろ過初期）の除去率の低下を防止することは重要である。この点、特許文献１では、このような問題には何ら着目されていなかった。
【課題を解決するための手段】
【０００７】
本発明によれば、以下に示す、膜ろ過方法が提供される。
【０００８】
［１］  ウイルスを含む被処理水に凝集剤を添加してろ過膜でろ過する膜ろ過工程と、
前記膜ろ過工程後、前記ろ過膜を洗浄する洗浄工程と、を有し、前記膜ろ過工程と前記洗浄工程とを繰り返す膜ろ過方法であって、
前記膜ろ過工程では、そのろ過初期において、以下の（１）及び（２）の少なくとも一方の操作を行う膜ろ過方法。
（１）通常時に添加する前記凝集剤に比して多くの前記凝集剤を添加した前記被処理水をろ過する。
（２）通常時における前記被処理水のｐＨに比して、ｐＨが低い前記被処理水をろ過する。
【０００９】
［２］  前記膜ろ過工程におけるろ過初期が、少なくとも、前記ろ過膜に水を満たすための工程である水張り工程を含む期間である前記［１］に記載の膜ろ過方法。
【００１０】
［３］  前記膜ろ過工程におけるろ過初期が、前記水張り工程後、更に５分間以内の期間である前記［２］に記載の膜ろ過方法。
【００１１】
［４］  前記ろ過膜が、セラミックス製の膜である前記［１］〜［３］のいずれかに記載の膜ろ過方法。
【００１２】
［５］  前記膜ろ過工程の前記ろ過初期は、前記洗浄工程後のろ過初期である前記［１］〜［４］のいずれかに記載の膜ろ過方法。
【００１３】
［６］  前記洗浄工程が、逆洗により前記ろ過膜を洗浄する工程である前記［５］に記載の膜ろ過方法。
【発明の効果】
【００１４】
本発明の膜ろ過方法によれば、ろ過初期におけるウイルスの除去率の低下を防止できる。
【図面の簡単な説明】
【００１５】
【図１】本発明の膜ろ過方法の一の実施形態によるろ過を行う膜ろ過システムを模式的に示す説明図である。
【図２】実施例１、比較例１の結果を示すグラフである。
【図３】実施例２、比較例２の結果を示すグラフである。
【図４】実施例３、比較例３の結果を示すグラフである。
【図５】実施例４、比較例２の結果を示すグラフである。
【発明を実施するための形態】
【００１６】
以下、本発明の実施の形態について説明する。本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１７】
［１］膜ろ過方法：
本発明の膜ろ過方法の一の実施形態は、膜ろ過工程と洗浄工程とを有しており、これらの膜ろ過工程と洗浄工程とを繰り返しながらろ過を行う。膜ろ過工程は、ウイルスを含む被処理水に凝集剤を添加してろ過膜でろ過する工程であり、具体的には、凝集剤が添加された被処理水を凝集剤含有被処理水とするとき、この凝集剤含有被処理水をろ過膜でろ過して、この凝集剤含有被処理水から被除去物（ウイルスを含む）を除去してろ過水を得る工程である。洗浄工程は、膜ろ過工程後、ろ過膜を洗浄する工程である。そして、本発明においては、膜ろ過工程では、そのろ過初期において、以下の（１）及び（２）の少なくとも一方を行う。
（１）通常時に添加する凝集剤に比して多くの凝集剤を添加した被処理水をろ過する。
（２）通常時における被処理水のｐＨに比して、ｐＨが低い被処理水をろ過する。
【００１８】
このような膜ろ過方法によれば、膜ろ過工程において、上記（１）及び（２）の少なくとも一方を行うので、ろ過初期におけるウイルスの除去率の低下を防止できる。
【００１９】
本発明の膜ろ過方法の一実施形態によるろ過は、例えば、図１に示すような膜ろ過システム１００を用いることで行うことができる。図１に示す膜ろ過システム１００は、ウイルスを含む被処理水を貯留する原水槽１０と、この原水槽１０から被処理水ポンプ１２を介して供給される被処理水をろ過膜でろ過してろ過水を得る膜ろ過ユニット２０と、を備えている。そして、更に、膜ろ過システム１００は、被処理水ポンプ１２（即ち、原水槽１０）と膜ろ過ユニット２０の間に設置され、被処理水と凝集剤を混合するスタティックミキサー３０と、膜ろ過ユニット２０のろ過膜の逆流洗浄（すなわち、逆洗）に用いる逆洗水を貯留する逆洗水槽１６とを備えている。膜ろ過ユニット２０は、後述するセラミックフィルタと、このセラミックフィルタを収納する収納体と、を備えている。なお、図１に示すような膜ろ過システム１００は、被処理水のｐＨを調整するための酸（例えば、硫酸）注入ラインが設けられているが、凝集剤の注入量の調整のみ行う場合には、この酸注入ラインは不要である。
【００２０】
本発明の膜ろ過方法においては、上記のように、原水槽１０と膜ろ過ユニット２０（ろ過膜）の間でのみ凝集剤が注入されるようにすることができる。即ち、膜ろ過システム１００のようにろ過膜としてセラミックフィルタを用いる場合、原水槽１０と膜ろ過ユニット２０（ろ過膜）の流路の間で凝集剤を注入し混合することで、ろ過初期におけるウイルスの除去率の低下を防止できる。
【００２１】
［１−１］膜ろ過工程：
膜ろ過工程は、上述の通り、ウイルスを含む被処理水に凝集剤を添加し、ろ過膜でろ過する工程である。
【００２２】
「被処理水」としては、上水処理、下水処理、工業用水処理、排水処理などの各種水処理において、水処理の対象となるものであって、ウイルスを含むものをいう。下水処理などにおいては、この被処理水には、ウイルス以外に、汚濁物質などが含まれることがある。
【００２３】
本発明においてろ過膜としては、特に限定されることなく、例えば、セラミックス製のろ過膜を用いることができる。このセラミックス製のろ過膜としては、例えば、アルミナ、チタニア、ジルコニア、シリカ、ムライト、スピネル、これらの混合物などからなるものを挙げることができる。
【００２４】
ろ過基材としては、例えば、アルミナ、チタニア、ジルコニア、シリカ、ムライト、スピネル、これらの混合物などからなるものを採用することができる。
【００２５】
セラミックフィルタの形状は、特に制限はなく、円柱状、楕円柱状などとすることができる。
【００２６】
セラミックフィルタは、その通水孔が延びる方向が鉛直方向と平行になるように設置することができる。なお、セラミックフィルタの設置方向は、特に制限はなく、その通水孔が延びる方向が鉛直方向に対して斜めまたは直角になるように設置してもよい。
【００２７】
凝集剤は、ウイルスを凝集することが可能なものである限り特に制限はなく適宜選択して使用することができる。この凝集剤には、有機凝集剤、無機凝集剤などがあり、これらを単独でまたは組み合わせて使用することができる。
【００２８】
無機凝集剤としては、例えば、ＰＡＣ（ポリ塩化アルミニウム）、硫酸バンド、塩化第二鉄などを挙げることができる。
【００２９】
本発明において膜ろ過工程は、ろ過初期とこのろ過初期以降の本ろ過期間との２つの期間からなるということができ、ろ過初期においては、上記のように上記（１）及び（２）の少なくとも一方の条件を満たす操作を行うが、その後の本ろ過期間では、本来の条件とすることになる。「本来の条件」とは、凝集剤の添加量に関しては、被処理水の処理に必要十分な添加量（具体的には、後述するジャーテストなどの結果に応じて適宜決定される添加量）とすることを意味し、被処理水のｐＨに関しては、ろ過初期のように被処理水のｐＨを敢えて低くする操作を行わない条件（具体的には、後述するジャーテストなどの結果に応じて予め設定されるｐＨ）を意味する。
【００３０】
ここで、「ろ過初期」とは、膜ろ過工程における膜ろ過の開始時点を基準として０〜７分経過までの間の期間をいうものとする。ただし、この時間は膜の一次側容量、膜供給水量および膜ろ過流束などの条件により適宜調整することができる。また、「ろ過初期」とは、最初に膜ろ過を開始するときだけを意味するものではない。本発明では膜ろ過工程と洗浄工程とを繰り返すため、洗浄工程後に膜ろ過を開始するときにも「ろ過初期」が存在する。
【００３１】
また、後述する水張り工程を行う場合、本発明では、水張り工程をろ過工程に含まれるものとして説明する。この場合、膜ろ過工程におけるろ過初期は、水張り工程の期間のみとしてもよく、水張り工程後、更に所定時間（例えば５分間）までの期間であることでもよい。なお、水張り工程の所要時間は、通常、３０秒〜２分である。
【００３２】
通常時における凝集剤の添加量は、例えば、処理しようとしている被処理水に対してジャーテストや膜ろ過実験を実施し、その結果に応じて、被処理水の処理に必要な凝集剤の添加量として適宜決定される添加量のことである。一例を挙げると、被処理水が下水二次処理水である芝浦水再生センターにおける再生水造水設備の場合、凝集剤の添加量（注入率）は、濁度等、原水の水質に応じて３０〜７０ｍｇ／Ｌで設定される。
【００３３】
一方、本発明で（１）の操作（即ち、「通常時に添加する凝集剤に比して多くの凝集剤を添加した被処理水をろ過する」操作）を行うときには、ろ過初期において、上記のようにして決定される通常時の添加量よりも、多くの凝集剤を添加する。例えば、通常時に添加する凝集剤の添加量を「基準添加量」とした場合、上記基準添加量の１．５〜３倍とすることができる。
【００３４】
本発明における「通常時に添加する凝集剤に比して多く」とは、被処理水の水質に応じて決定される添加量よりも多く、ということができる。特に洗浄工程後の膜ろ過の場合には、前回（直前）の膜ろ過で添加した凝集剤の添加量よりも多く、ということもできる。
【００３５】
また、「通常時における被処理水のｐＨ」は、処理しようとしている被処理水に対してジャーテストや膜ろ過実験を実施し、その結果に応じて、予め設定されるｐＨである。多くの場合には被処理水のｐＨは７以上であるが、被処理水によってはｐＨの調整が必要な場合があり、例えばｐＨを６．８程度に調整されることがある。このように被処理水のｐＨを調整する場合には、調整後のｐＨ（この例ではｐＨ６．８）が「通常時における被処理水のｐＨ」となる。
【００３６】
一方、本発明で（２）の操作（即ち、「通常時における被処理水のｐＨに比して、ｐＨが低い被処理水をろ過する」操作）を行う場合には、ジャーテストや膜ろ過実験の結果によって設定されたｐＨよりも、更に凝集剤によるウイルスの除去作用が大きくなるようにｐＨを調整する（即ち、ｐＨをより低下させる）。例えば、アルミ系凝集剤（ＰＡＣ等）を凝集剤として使用する場合、ジャーテスト等の結果によってｐＨの調整が不要であると判断されたときには、被処理水のｐＨは、通常、７以上であるｐＨを、ろ過初期には６．８以下に調整することが好ましく、６．５以下に調整することが更に好ましい。一方、ｐＨの調整が必要であると判断されたときには、通常時のｐＨが６．８程度に調整されるため、ろ過初期にはｐＨ６．５以下に調整することが好ましい。
【００３７】
つまり、本発明における「通常時における被処理水のｐＨに比して、ｐＨが低い」とは、被処理水の水質に応じて決定されるｐＨよりも低く、ということができる。特に洗浄工程後の膜ろ過の場合には、前回（直前）の膜ろ過で処理された被処理水のｐＨよりも低く、ということもできる。
【００３８】
被処理水のｐＨを調節する操作を採用する場合、膜ろ過システム１００において凝集剤の注入点よりも前段に、ｐＨ調節部（不図示）を更に設けるようにすることができる。図１では、硫酸を添加することによってｐＨを調整することを示している。
【００３９】
このように、ろ過初期で（１）及び（２）のいずれかの条件を満たす操作を行うと、凝集および膜ろ過において除去されるウイルスが増えることによって、ろ過初期であってもウイルスの除去率を高く維持することができる。また、上記のようにすると、ろ過初期にろ過水を捨てる必要がなく、ろ過水を捨ててしまう場合であっても捨てる水の量を低減することができる。
【００４０】
本発明においては、上記（１）及び（２）の両方の条件を満たす操作を行うことでもよい。このようにすると、ろ過初期におけるウイルスの除去率の低下を非常に良好に防止できる。
【００４１】
そして、上記（１）及び（２）のいずれの操作を採用するか、或いは、両方の操作を採用するかは被処理水の水質および設備事情などに応じて適宜決定すればよい。
【００４２】
［１−２］洗浄工程：
洗浄工程は、膜ろ過工程後、ろ過膜を洗浄する工程である。この洗浄工程は、従来公知の操作と同様の手順を適宜採用することができる。ろ過膜を洗浄する方法としては、逆洗や薬品洗浄などを挙げることができる。
【００４３】
洗浄工程は、具体的には、以下のように行うことができる（以下には、逆洗によりろ過膜を洗浄する方法を示す）。まず、図１に示すように、被処理水弁５１、ろ過水弁５２を閉じるとともに被処理水ポンプ１２を停止し、逆洗弁６１を開いた状態で、加圧空気を逆洗水槽１６へと送り、ろ過膜を加圧した状態で保持する（加圧工程）。次に、逆洗排水弁６２を開き、逆洗水を逆洗排水弁６２から排出することによってろ過膜を逆洗する（逆洗工程）。なお、逆洗工程で排出される、ろ過膜の表面に付着したフロック等のファウリング原因物質を含む逆洗水（逆洗排水）は、逆洗排水弁６２を介して排水処理設備へと送られ、処理される。
【００４４】
なお、逆洗工程後、逆洗弁６１を閉じ、エアーブロー用加圧空気弁８１を開いてエアーブロー用加圧空気を膜ろ過ユニット２０内のセラミックフィルタの通水孔内に流し（ブロー工程）、エアーブロー用加圧空気で通水孔内を更に洗浄することもできる。なお、本明細書では、ブロー工程は洗浄工程に含まれる。
【００４５】
［１−３］水張り工程：
逆洗工程後にブロー工程を行う場合には、以下の水張り工程を行う。水張り工程は、ろ過膜に水を満たすための工程であり、下記例では、セラミックフィルタの一次側領域に水を満たす工程が該当する。ブロー工程を行わない場合には、水張り工程は不要である。なお、この水張り工程は、本発明においては上述したように、膜ろ過工程に含まれる工程として説明する。
【００４６】
上記のように既に洗浄工程を行っている場合、この水張り工程は、上記ブロー工程が終了した後、逆洗排水弁６２及びエアーブロー用加圧空気弁８１を閉じ（なお、ろ過水弁５２は閉じた状態を維持する）、被処理水弁５１及び水張り弁８３を開いた状態で被処理水ポンプ１２を運転させ、一次側領域内の空気を水張りライン８２から抜きつつ、セラミックフィルタの一次側領域に被処理水を満たすことにより行われる。この水張り工程を行った後に実際に被処理水のろ過を再開することができる。
【００４７】
本発明においては、上述したように、この水張り工程を含む期間であるろ過初期に、上記（１）及び（２）の少なくとも一方の条件を満たす操作を行うことが好ましい。具体的には、セラミックフィルタの一次側領域に被処理水を満たす過程において、上記（１）及び（２）の少なくとも一方の条件を満たす操作を行う。そして、必要に応じて、被処理水のろ過を再開した際にも上記（１）及び（２）の少なくとも一方の条件を満たす操作を続けて行う。
【実施例】
【００４８】
以下、本発明を実施例に基づいて具体的に説明するが、本発明はこれらの実施例に限定されるものではない。
【００４９】
（実施例１）
図１に示したような膜ろ過システム１００を用い、本発明の膜ろ過方法によるろ過を行った。具体的には、膜ろ過工程の通常の（即ち、本ろ過期間における）凝集剤（ＰＡＣ）の注入率を６０ｍｇ／Ｌとし、膜ろ過工程のろ過初期における凝集剤（ＰＡＣ）の注入率を１２０ｍｇ／Ｌとした。「ろ過初期」は、水張り工程（２分間）とその後５分までの時間とした。また、被処理水のｐＨは、７．６〜７．７であった。
【００５０】
このとき、膜ろ過工程開始時からのウイルスの除去率を算出した。結果を、表１及び図２に示す。
【００５１】
なお、本実施例で使用したウイルスは、大腸菌ファージＭＳ２であり、原水槽１０に高濃度の大腸菌ファージＭＳ２を添加して、被処理水中のウイルス濃度がおよそ１，０００，０００ＰＦＵ／ｍＬとなるようにして実験を行った。ウイルスの定量に際しては、プラック形成法を採用した。なお、図１では、実験のためウイルスを原水槽１０に添加することを示しているのであり、通常の水処理ではウイルスの添加は行わない。また、セラミックス製のろ過膜（セラミックフィルタ）は、公称孔径が０．１μｍであり、膜面積が０．４２ｍ２であった。そして、ろ過は、デッドエンド方式を採用し、定流量ろ過（膜透過流束）４．０ｍ／ｄの条件で行った。
【００５２】
本実施例において、ＰＡＣの注入率を増加することで、ろ過初期におけるウイルスの除去特性が向上することを確認した。
【００５３】
（比較例１）
膜ろ過工程における凝集剤（ＰＡＣ）の注入率を６０ｍｇ／Ｌで一定（ろ過初期及び本ろ過期間のいずれも同じ注入率）としたこと以外は、実施例１と同様の方法でウイルスの除去率を算出した。結果を、表１及び図２に示す。
【００５４】
（実施例２）
膜ろ過工程における「ろ過初期」を、水張り工程（２分間）のみとしたこと以外は、実施例１と同様の方法でウイルスの除去率を算出した。結果を、表２及び図３に示す。
【００５５】
本実施例においても、ＰＡＣの注入率を増加させることで、ろ過初期のウイルスの除去特性が向上することが確認できた。
【００５６】
（比較例２）
膜ろ過工程における凝集剤（ＰＡＣ）の注入率を６０ｍｇ／Ｌで一定（ろ過初期及び本ろ過期間のいずれも同じ注入率）としたこと以外は、実施例２と同様の方法でウイルスの除去率を算出した。結果を、表２及び図３に示す。
【００５７】
【表１】
2018167236.tif 000002
【００５８】
【表２】
2018167236.tif 000003
【００５９】
（実施例３）
膜ろ過工程のろ過初期における被処理水のｐＨが６．５となるように被処理水に硫酸を注入し、凝集剤（ＰＡＣ）の注入率を６０ｍｇ／Ｌとして膜ろ過を行った。なお、ｐＨを６．５に下げる前（硫酸を注入する前）の被処理水のｐＨは、７．５であった。「ろ過初期」は、水張り工程（２分間）とその後の５分までの時間とした。ろ過初期以降は、硫酸の注入を停止して凝集剤のみ（注入率は、６０ｍｇ／Ｌにて一定）を注入した。なお、ろ過初期以降の被処理水のｐＨは上昇し、ろ過開始から１０分後でｐＨ７．１となり、６０分以降はｐＨ７．２であった。
【００６０】
このとき、膜ろ過工程の開始時からのウイルスの除去率を算出した。結果を、表３及び図４に示す。
【００６１】
実施例３によれば、被処理水のｐＨを調整すること（ｐＨを低くすること）で、ろ過初期のウイルスの除去特性が向上することが確認された。
【００６２】
（比較例３）
膜ろ過工程における凝集剤（ＰＡＣ）の注入率を６０ｍｇ／Ｌで一定（ろ過初期及び本ろ過期間のいずれも同じ注入率）としたこと以外は、実施例１と同様の方法でウイルスの除去率を算出した。結果を、表３及び図４に示す。なお、実施例１では被処理水のｐＨを調整しておらず、本比較例においても被処理水のｐＨを調整していない。
【００６３】
【表３】
2018167236.tif 000004
【００６４】
（実施例４）
膜ろ過工程における「ろ過初期」を、水張り工程（２分間）のみとしたこと以外は、実施例３と同様の方法でウイルスの除去率を算出した。結果を、表４及び図５に示す。なお、図５には、実施例４の結果以外に、参考として、比較例２の結果も併せて記載している。
【００６５】
【表４】
2018167236.tif 000005
【００６６】
以上の結果から、本発明の膜ろ過方法によれば、ろ過初期におけるウイルスの除去率の低下を防止できることが分かった。
【産業上の利用可能性】
【００６７】
本発明の膜ろ過方法は、下水処理水などのウイルスを含む被処理水から、除去率を維持しつつウイルスを除去可能な方法として採用することができる。
【符号の説明】
【００６８】
１０：原水槽、１２：被処理水ポンプ、１６：逆洗水槽、２０：膜ろ過ユニット、３０：スタティックミキサー、５１：被処理水弁、５２：ろ過水弁、６１：逆洗弁、６２：逆洗排水弁、８１：エアーブロー用加圧空気弁、８２：水張りライン、８３：水張り弁、１００：膜ろ過システム。
【図１】
2018167236.tif 000006
【図２】
2018167236.tif 000007
【図３】
2018167236.tif 000008
【図４】
2018167236.tif 000009
【図５】
2018167236.tif 000010